(57)【要約】【課題】被装着物の本体キャビネット内への装着と、被装着物を出し入れする開口を覆うカバーの閉鎖とを、１つの検出器にて検出できる投写型表示装置を提供する。【解決手段】上キャビネット３の裏面には、カバーストッパー１１０が設けられている。フィルタユニット７００がフィルタ収容部６０２内に装着されていないときには、カバーストッパー１１０の突起部１１１がガイド溝１０４内に張り出す。ランプ用カバー５の係止部５０６が突起部１１１に当接するため、ランプ用カバー５は最後まで閉じられない。一方、フィルタユニット７００がフィルタ収容部６０２に装着されると、押圧片７１６が支持部１１２の先端部を下方に押し、突起部１１１がガイド溝１０４内から抜け出る。この場合、係止部５０６が突起部１１１に当接しないので、ランプ用カバー５は最後まで閉じられ、検出スイッチ１０７によりランプ用カバー５の閉鎖が検出される。【選択図】図１０
2012093440.tif 000002
【特許請求の範囲】
【請求項１】
投写型表示装置において、
本体キャビネットに形成された開口と、
前記開口を通じて前記本体キャビネット内に装着される被装着物と、
前記開口を覆うカバーと、
前記カバーの閉鎖を検出する検出器と、
前記カバーが閉じられたときに互いに当接して、前記検出器により前記閉鎖が検出される位置まで前記カバーが閉じられるのを阻止する第１の当接部および第２の当接部と、を備え、
前記第１の当接部は、前記被装着物が前記本体キャビネット内に装着されていないときには、前記カバーが閉じられたときに前記第２の当接部に当接するライン上に位置するとともに、前記ラインから外れる位置に退避が可能であり、
前記被装着物が前記本体キャビネット内に装着されているときには、前記第１の当接部を前記ラインから外れる位置に退避させる退避部を、さらに備える、
ことを特徴とする投写型表示装置。
【請求項２】
請求項１に記載の投写型表示装置において、
前記第１の当接部は前記本体キャビネットに設けられ、前記第２の当接部は前記カバーに設けられるとともに、
前記第１の当接部は、前記第１の当接部が前記ラインから外れる方向に変位が可能な支持部により支持され、
前記退避部は、前記被装着物が前記本体キャビネットに装着されたときに前記支持部を押すことにより、前記第１の当接部を前記ラインから外れる位置に退避させる押圧部を含む、
を備えることを特徴とする投写型表示装置。
【請求項３】
請求項２に記載の投写型表示装置において、
前記支持部は梁状に形成されるとともに、前記支持部の一端部が前記本体キャビネット側に固定され、
前記支持部の他端部が前記押圧部に押圧されると、前記支持部が前記一端部を支点にして撓み、前記第１の当接部が前記ラインから外れる、
ことを特徴とする投写型表示装置。
【請求項４】
請求項２または３に記載の投写型表示装置において、
前記カバーは、前記開口が形成された前記本体キャビネットの一つの側面に沿ってスライド可能であり、
前記側面には、前記カバーがスライドする方向に延びる溝部が形成され、
前記第２の当接部は、前記溝部に挿入され、前記カバーがスライドする際に前記溝部内を案内されるガイド部を含み、
前記第１の当接部は、前記溝部に張り出して前記ガイド部に当接する、
ことを特徴とする投写型表示装置。
【請求項５】
請求項１に記載の投写型表示装置において、
前記第１の当接部は前記カバーに設けられ、前記第２の当接部は前記本体キャビネットに設けられるとともに、
前記第１の当接部は、前記第１の当接部が前記ラインから外れる方向に変位が可能な支持部により支持され、
前記退避部は、前記カバーの閉鎖に伴って前記第２の当接部へ向かう前記第１の当接部を前記ラインから外れる位置に退避させる案内面を含む、
ことを特徴とする投写型表示装置。
【請求項６】
請求項５に記載の投写型表示装置において、
前記支持部は梁状に形成されるとともに、前記支持部の一端部が前記カバー側に固定され、
前記第１の当接部が前記案内面に沿うことにより、前記支持部が前記一端部を支点にして撓み、前記第１の当接部が前記ラインから外れる、
ことを特徴とする投写型表示装置。
【発明の詳細な説明】
【技術分野】
【０００１】
本発明は、光源からの光を光変調素子によって変調し、被投写面に投写する投写型表示装置に関する。
【背景技術】
【０００２】
従来、液晶プロジェクタ等の投写型表示装置（以下、「プロジェクタ」という）では、液晶パネルなどの光変調素子よって変調された光が、投写レンズによって被投写面に投写される。光源や光変調素子は経年劣化を生じ得る。劣化により適正な動作が行われなくなれば、光源や光変調素子を新しいものに交換する必要がある。
【０００３】
また、かかるプロジェクタでは、光源や光変調素子などにおいて発熱が生じる。このため、プロジェクタには、これら発熱部を、外部から取り込んだ空気によって冷却する冷却装置が備えられる。冷却装置の上流側には、外気に含まれる埃等を除去するため、フィルタが配される。フィルタが目詰まりした場合には、フィルタを掃除したり交換したりする必要がある。
【０００４】
光源、光変調素子、フィルタなどの被装着物は、本体キャビネットに設けられた開口と通じて本体キャビネット内に収容され得る。この場合、開口はカバーによって開閉され得る（たとえば、特許文献１参照）。
【０００５】
上記のような構成とした場合、被装着物が本体キャビネット内に装着され、カバーが完全に閉じられた状態で、運転が行われる必要がある。そこで、被装着物が本体キャビネットに装着されたか否か、および、カバーが完全に閉じられたか否かを検出するために、マイクロスイッチなどの検出スイッチが設けられ得る。この場合、通常、被装着物とカバーとにそれぞれ対応するように、２つの検出スイッチが設けられる。
【０００６】
なお、カバー開閉検出装置において、２つのカバーの開閉を１つの検出スイッチにて検出するような構成が採られている。たとえば、開閉検出スイッチを切り替えるための切替部材が設けられるとともに、一方のカバーには、当該カバーが閉じられると切替部材を変位させる第１の作動部材が設けられる。第１の作動部材のみによる切替部材の変位では、開閉検出スイッチは切り替わらない。他方のカバーには、当該カバーが閉じると、第１の作動部材の押圧力を増大させる第２の作動部材が設けられる。双方のカバーが閉じると、第２の作動部材により第１の作動部材の押圧力が増大して、切替部材が大きく変位し、開閉検出スイッチが切り替わる（たとえば、特許文献２参照）。
【先行技術文献】
【特許文献】
【０００７】
【特許文献１】特開２００４−２５２４７３号公報
【特許文献２】特開平０８−１７１８３６号公報
【発明の概要】
【発明が解決しようとする課題】
【０００８】
上記のように、検出スイッチを２つ設ける場合には、比較的大きなコストアップにつながってしまう。よって、上記カバー開閉検出装置のように、１つの検出スイッチのみが用いられる構成とすることが望ましい。
【０００９】
本発明は、かかる課題に鑑みてなされたものであり、被装着物の本体キャビネット内へ
の装着と、被装着物を出し入れする開口を覆うカバーの閉鎖とを、１つの検出器にて検出できる投写型表示装置を提供することを目的とする。
【課題を解決するための手段】
【００１０】
本発明の投写型表示装置は、本体キャビネットに形成された開口と、前記開口を通じて前記本体キャビネット内に装着される被装着物と、前記開口を覆うカバーと、前記カバーの閉鎖を検出する検出器と、前記カバーが閉じられたときに互いに当接して、前記検出器により前記閉鎖が検出される位置まで前記カバーが閉じられるのを阻止する第１の当接部および第２の当接部とを備える。ここで、前記第１の当接部は、前記被装着物が前記本体キャビネット内に装着されていないときには、前記カバーが閉じられたときに前記第２の当接部に当接するライン上に位置するとともに、前記ラインから外れる位置に退避が可能な構成とされる。そして、前記被装着物が前記本体キャビネット内に装着されているときには、前記第１の当接部を前記ラインから外れる位置に退避させる退避部をさらに備える。
【００１１】
本発明の投写型表示装置によれば、被装着物が本体キャビネット内に装着された後にカバーが閉じられることによって、検出部によりカバーの閉鎖が検出される。よって、被装着物の装着とカバーの閉鎖とを、１つの検出器にて検出することができる。
【００１２】
本発明の投写型表示装置において、前記第１の当接部は前記本体キャビネットに設けられ、前記第２の当接部は前記カバーに設けられ得る。この場合、前記第１の当接部は、前記第１の当接部が前記ラインから外れる方向に変位が可能な支持部により支持され得る。さらに、前記退避部は、前記被装着物が前記本体キャビネットに装着されたときに前記支持部を押すことにより、前記第１の当接部を前記ラインから外れる位置に退避させる押圧部を含み得る。
【００１３】
このような構成とすれば、被装着物が本体キャビネット内に装着されると、押圧部によって支持部が押され、これにより、支持部とともに第１の当接部が移動して、第１の当接部が第２の当接部の移動経路上から退避される。よって、第２の当接部が第１の当接部に当接することなく、カバーが最後まで閉じられる。
【００１４】
また、このような構成とした場合、前記支持部は梁状に形成されるとともに、前記支持部の一端部が前記本体キャビネット側に固定され得る。この場合、前記支持部の他端部が前記押圧部に押圧されると、前記支持部が前記一端部を支点にして撓み、前記第１の当接部が前記ラインから外れる。
【００１５】
このような構成とすれば、バネ等の別部材を用いることなく、支持部を弾性的に変位させることができ、構成を簡略化できる。
【００１６】
本発明の投写型表示装置において、前記カバーは、前記開口が形成された前記本体キャビネットの一つの側面に沿ってスライド可能な構成とされ得る。この場合、前記側面には、前記カバーがスライドする方向に延びる溝部が形成され得る。また、前記第２の当接部は、前記溝部に挿入され、前記カバーがスライドする際に前記溝部内を案内されるガイド部を含み得る。このとき、前記第１の当接部は、前記溝部に張り出して前記ガイド部に当接する。
【００１７】
このような構成とすれば、スライドする際のカバーの案内に用いられるガイド部を第２の当接部として利用できるので、構成を簡略化できる。
【００１８】
本発明の投写型表示装置において、前記第１の当接部は前記カバーに設けられ、前記第
２の当接部は前記本体キャビネットに設けられ得る。この場合、前記第１の当接部は、前記第１の当接部が前記ラインから外れる方向に変位が可能な支持部により支持され得る。さらに、前記退避部は、前記カバーの閉鎖に伴って前記第２の当接部へ向かう前記第１の当接部を前記ラインから外れる位置に退避させる案内面を含む構成とされ得る。
【００１９】
このような構成とすれば、被装着物が本体キャビネット内に装着された状態でカバーが閉じられていくと、第１の当接部は、第２の当接部に当接する前に、案内面によって、第２の当接部へ当接するラインから外れ、第２の当接部の横を通過する。これにより、第１の当接部が第２の当接部に当接することなく、カバーが最後まで閉じられる。
【００２０】
また、このような構成とした場合、前記支持部は梁状に形成されるとともに、前記支持部の一端部が前記カバー側に固定され得る。この場合、前記第１の当接部が前記案内面に沿うことにより、前記支持部が前記一端部を支点にして撓み、前記第１の当接部が前記ラインから外れる。
【００２１】
このような構成とすれば、バネ等の別部材を用いることなく、支持部を弾性的に変位させることができ、構成を簡略化できる。
【発明の効果】
【００２２】
以上のとおり、本発明によれば、被装着物の本体キャビネット内への装着と、被装着物を出し入れする開口を覆うカバーの閉鎖とを、１つの検出器にて検出できる投写型表示装置を提供することができる。
【００２３】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２４】
【図１】実施の形態に係るプロジェクタの外観構成を示す図（斜視図）である。
【図２】実施の形態に係るプロジェクタの外観構成を示す図（底面図）である。
【図３】実施の形態に係るプロジェクタの内部構造を示す図である。
【図４】実施の形態に係る投写光学ユニットの構成を模式的に示す図である。
【図５】実施の形態に係るランプユニットおよびファンユニットの構成を示す図である。
【図６】実施の形態に係るフィルタユニットの構成示す図である。
【図７】実施の形態に係るカバー装着部へのランプ用カバーの取付構造を示す図である。
【図８】実施の形態に係るカバー装着部へのランプ用カバーの取付構造を示す図である。
【図９】実施の形態に係るランプ用カバーの構成を示す図である。
【図１０】実施の形態に係るフィルタユニットがフィルタ収容部に収容されずにランプ用カバーが閉じられたときの様子、および、フィルタユニットがフィルタ収容部に収容された後にランプ用カバーが閉じられたときの様子を示す図である。
【図１１】変更例に係るフィルタユニットの構成示す図である。
【図１２】変更例に係るカバー装着部へのランプ用カバーの取付構造を示す図である。
【図１３】変更例に係るランプ用カバーの構成を示す図である。
【図１４】変更例に係るフィルタユニットがフィルタ収容部に収容されずにランプ用カバーが閉じられたときの様子、および、フィルタユニットがフィルタ収容部に収容された後にランプ用カバーが閉じられたときの様子を示す図である。
【発明を実施するための形態】
【００２５】
以下、図面を参照して、本発明の実施の形態に係るプロジェクタについて説明する。
【００２６】
図１および図２は、プロジェクタの外観構成を示す図である。図１（ａ）は、前方から見たプロジェクタの斜視図であり、図１（ｂ）は後方から見たプロジェクタの斜視図である。また、図２は、プロジェクタの底面図である。なお、説明の便宜上、図１（ａ）、（ｂ）および図２には、ぞれぞれ、前後左右の方向を示す矢印や上下の方向を示す矢印が描かれている。以下、同様に、他の図面においても、必要に応じて、方向を示す矢印が描かれる。
【００２７】
本実施の形態のプロジェクタは、いわゆる短焦点投写型のプロジェクタである。図１を参照して、プロジェクタは、略直方体形状を有する本体キャビネット１を備えている。本体キャビネット１は、下キャビネット２と、下キャビネット２に上方から被せられる上キャビネット３とで構成されている。
【００２８】
本体キャビネット１の上面には、後方に向けて下る第１傾斜面１ａと、この第１傾斜面１ａに続いて後方に向けて上る第２傾斜面１ｂが形成されている。第２傾斜面１ｂは上斜め前方を向いており、この第２傾斜面１ｂに投写口４が形成されている。投写口４から上斜め前方へ出射された映像光が、プロジェクタの前方に配されたスクリーンに拡大投写される。
【００２９】
また、本体キャビネット１の上面には、ランプ用カバー５が設けられている。本体キャビネット１の上面には、ランプユニットを交換するためのランプ用開口と、ランプユニットを冷却するファンユニットに配されたフィルタを交換するためのフィルタ開口が形成されている。ランプ用カバー５は、これらランプ用開口およびフィルタ用開口を覆うためのカバーである。さらに、本体キャビネット１の上面には、複数の操作キーからなる操作部６が設けられている。
【００３０】
本体キャビネット１の右側面には、端子口部７が形成されている。端子口部７には、ＡＶ端子等の各種の端子を有する端子パネル２３３が配されている。端子パネル２３３は、後述する制御回路ユニットの一部を構成する。プロジェクタには、ＡＶ端子を通じて、映像信号や音声信号などのＡＶ（Audio Visual）信号が入出力される。また、本体キャビネット１の右側面には、端子口部７の上方に、吸気口８が設けられている。吸気口８は多数のスリット状の孔によって構成されており、吸気口８を通じて外気が本体キャビネット１内に取り込まれる。
【００３１】
本体キャビネット１の左側面には、第１排気口９および第２排気口１０が設けられている。これら排気口９、１０は多数のスリット状の孔によって構成されており、これら排気口９、１０を通じて本体キャビネット１内部の空気が機外に排出される。また、本体キャビネット１の後面には、出音口１１が形成されている。出音口１１からは、投写時に映像に対応する音声が出力される。
【００３２】
図２を参照して、本体キャビネット１の底面には、前部中央部に固定脚１２が設けられており、後端部に２つの調整脚１３が設けられている。２つの調整脚１３を上下に伸縮させることにより、本体キャビネット１の前後方向および左右方向の傾きが調整できる。これにより、スクリーンに投写された画像の上下の位置や左右の傾きが調整できる。
【００３３】
本実施の形態のプロジェクタでは、本体キャビネット１の底面が机や床等の設置面に設置される据え置き設置以外に、本体キャビネット１が上下逆さまにされて天井に設置され
る天吊り設置が可能である。また、本体キャビネット１の前面には、端子パネル２３３や吸気口８が設けられておらず、前面は平坦な面とされている。このため、本実施の形態のプロジェクタでは、本体キャビネット１の前面が設置面に設置される設置形態をとることができる。この場合、設置面自身に画像が投写される。
【００３４】
図３は、プロジェクタの内部構造を示す図である。同図は、前方から見た、上キャビネット３が取り外された状態の斜視図である。なお、便宜上、図３には、光変調ユニット１５および投写光学ユニット１７が点線にて描かれている。また、吸気口８の位置が一点鎖線にて示されている。
【００３５】
図３を参照して、下キャビネット２の前部には、ランプユニット１４と、ランプユニット１４からの光を変調して映像光を生成する光変調ユニット１５とが配されている。
【００３６】
ランプユニット１４は、光源ランプと、光源ランプを保持するランプホルダにより構成されており、上方から着脱できるよう配されている。ランプユニット１４の後方には、ファンユニット１６が配されている。ファンユニット１６は、吸気口８から取り込んだ外気（冷却風）を光源ランプに供給して、光源ランプを冷却する。ランプホルダには、ファンユニット１６からの冷却風を光源ランプへ導くための通風ダクトが設けられている。
【００３７】
光変調ユニット１５は、カラーホイールとＤＭＤ（デジタル・マイクロミラー・デバイス）とを含む。カラーホイールは、光源ランプからの白色光を、赤、緑、青等の各色光に時分割で分離する。ＤＭＤは、カラーホイールから出射された各色光を、映像信号に基づいて変調する。
【００３８】
なお、光変調ユニット１５は、光源ランプからの白色光を赤、緑、青の各色光に分離する導光光学系と、分離された各色光をそれぞれ変調する３つの液晶パネルと、液晶パネルで分離された各光を合成するダイクロイックプリズムとを含む構成とすることもできる。この場合、３つの液晶パネルとダイクロイックプリズムは一体化され、プリズムユニットとされる。
【００３９】
光変調ユニット１５の後方には、投写光学ユニット１７が配されている。投写光学ユニット１７は、光変調ユニット１５により生成された映像光を拡大し、スクリーン等の被投写面に投写する。
【００４０】
図４は、投写光学ユニット１７の構成を模式的に示す図である。なお、同図には、投写光学ユニット１７に加えて、光変調ユニット１５、制御回路ユニット２３およびノイズフィルタユニット２４が模式的に描かれている。
【００４１】
投写光学ユニット１７は、投写レンズユニット１７１と、反射ミラー１７２と、これら投写レンズユニット１７１および反射ミラー１７２を収容するハウジング１７３により構成されている。投写レンズユニット１７１は、複数のレンズ１７１ａを有している。反射ミラー１７２は、曲面ミラーあるいは自由曲面ミラーである。
【００４２】
図４に示すように、光変調ユニット１５から出射された映像光は、投写レンズユニット１７１の光軸Ｌから本体キャビネット１の上面方向にシフトした位置において、投写レンズユニット１７１に入射する。入射した映像光は、投写レンズユニット１７１によってレンズ作用を受け、反射ミラー１７２に入射する。その後、映像光は、反射ミラー１７２によって広角化され、光線通過窓１７４を介して、被投写面（スクリーン面）へ投写される。
【００４３】
上記のように、映像光は、投写レンズユニット１７１の光軸Ｌから本体キャビネット１の上面方向にシフトした位置において、投写レンズユニット１７１に入射するため、反射ミラー１７２は、投写レンズユニット１７１の光軸Ｌから本体キャビネット１の底面側にシフトするようにして配置される。ここで、反射ミラー１７２は、投写レンズユニット１７１を構成する各レンズのレンズ面よりも大きな反射面を有するため、投写レンズユニット１７１の光軸Ｌに対する反射ミラー１７２のシフト量は比較的大きなものとなる。このため、投写レンズユニット１７１の下方には、本体キャビネット１（下キャビネット２）の底面との間に、比較的大きな空間Ｇが生じる。この空間Ｇは、投写レンズユニット１７１の配置位置から光変調ユニット１５の配置位置にかけて生じる。
【００４４】
図３に戻り、ファンユニット１６の後方には、電源ユニット１８が配されている。電源ユニット１８は、電源回路を備えており、プロジェクタの各電装部品に電源の供給を行う。電源ユニット１８の後方には、スピーカー１９が配されている。スピーカー１９から出力された音声は、出音口１１より外部に放出される。
【００４５】
光変調ユニット１５の右方には、ＤＭＤ用冷却ファン２０が配されている。ＤＭＤ用冷却ファン２０は、ＤＭＤを冷却するために、吸気口８から取り込んだ外気を光変調ユニット１５に供給する。なお、ＤＭＤは光変調ユニット１５内に密閉状態で配置されており、ＤＭＤが、送風された外気に直接触れることはない。
【００４６】
ランプユニット１４の左方には、ランプ用排気ファン２１が設けられている。ランプ用排気ファン２１は、光源ランプを冷却した後の冷却風を取り込み、第１排気口９を通じて外部に排出する。
【００４７】
電源ユニット１８の左方には、電源用排気ファン２２が設けられている。電源用排気ファン２２は、電源ユニット１８内の温まった空気を取り込み、第２排気口１０を通じて外部に排出する。電源ユニット１８内から電源用排気ファン２２へ空気が流れることにより、新たな外気が吸気口８から取り込まれて電源ユニット１８内へ供給される。
【００４８】
さて、図３および図４に示すように、本実施の形態のプロジェクタでは、投写レンズユニット１７１と光変調ユニット１５の下方に生じた上記空間Ｇに、制御回路ユニット２３およびノイズフィルタユニット２４が配されている。
【００４９】
ノイズフィルタユニット２４は、ノイズフィルタやヒューズが配された回路基板を備えており、入力された商用交流電源からノイズを除去して電源ユニット１８に供給する。
【００５０】
制御回路ユニット２３は、制御回路基板２３１と、制御回路基板２３１を保持するホルダ２３２と、端子パネル２３３と、端子パネル２３３を固定するための固定板２３４とを含む。
【００５１】
制御回路基板２３１には、光源ランプやＤＭＤなどの各種駆動部品を制御するための制御回路が配されている。また、制御回路基板２３１には、各種端子２３５が配されている。
【００５２】
端子パネル２３３には、各種端子２３５の形状に合わせた開口が形成されており、これら開口を通じて、各種端子２３５が外部に臨む。なお、図示されていないが、固定板２３４にも、各種端子２３５が通る開口が形成されている。
【００５３】
固定板２３４は、金属材料で形成されており、その上部には、シールド部２３６が形成されている。シールド部２３６には、多数の開口２３６ａが形成されており、各開口２３
６ａには、金網（図示せず）が装着されている。シールド部２３６は、吸気口８の内側に配され、吸気口８から外部に漏れようとする電磁波を遮蔽する。吸気口８から取り込まれた外気は、開口２３６ａを通って本体キャビネット１内部に流入する。
【００５４】
次に、図５から図６を参照して、ランプユニット１４およびファンユニット１６の構成について詳細に説明する。
【００５５】
図５は、ランプユニット１４およびファンユニット１６の構成を示す図である。図５（ａ）は、前方から見たランプユニット１４およびファンユニット１６の斜視図であり、図５（ｂ）は、図５（ａ）のＡ−Ａ´断面図である。なお、図５においては、便宜上、フィルタユニット７００を構成するフィルタ７２０が図示省略されている。
【００５６】
図５を参照して、ランプユニット１４は、光源ランプ３００と、光源ランプ３００を保持するためのランプホルダ４００とで構成されている。
【００５７】
図５（ｂ）に示すように、光源ランプ３００は、発光管３０１とリフレクタ３０２とを備えている。発光管３０１には、メタルハライドランプが用いられている。その他、超高圧水銀ランプ、キセノンランプ等のランプを用いることもできる。リフレクタ３０２は、内面が放物面形状を有し、発光管３０１から発せられた白色光を内面で反射して前方へ向かわせる。
【００５８】
ランプホルダ４００の前面には、光源ランプ３００からの光が出射される出射窓４０１が形成されている。出射窓４０１には、耐熱性の凹レンズ４０２が嵌め込まれている。ランプホルダ４００は後面が開口しており、この開口部に後方から光源ランプ３００が装着される。
【００５９】
ランプホルダ４００の上部および下部には、それぞれ、上部ダクト４０３および下部ダクト４０４が設けられている。また、図５（ｂ）に示すように、上部ダクト４０３に繋がる上部吹出口４０５と、下部ダクト４０４に繋がる下部吹出口４０６とが、リフレクタ３０２の内部に臨んでいる。さらに、ランプホルダ４００の中央部には、左右両側に排出口４０７が形成されている。なお、左右の排出口４０７のうち、左側の排出口４０７のみが、図５（ｂ）により図示されている。
【００６０】
なお、上部ダクト４０３の内部、下部ダクト４０４の内部および左右の排出口４０７には、それぞれ、図示しない金網部が配されている。これら金網部によって、発光管３０１が万一破損したときに、その破片が外部に飛び出さないようになされている。
【００６１】
ファンユニット１６は、２つのランプ用冷却ファン５０１、５０２と、これらランプ用冷却ファン５０１、５０２が収容されるファンケーシング６００と、ファンケーシング６００に装着されるフィルタユニット７００とを備えている。ファンユニット１６は、制御回路ユニット２３のホルダ２３２に固定される。
【００６２】
ランプ用冷却ファン５０１、５０２は、たとえば、遠心ファンである。ファンケーシング６００は、ファン収容部６０１と、ファン収容部６０１の前方に設けられたフィルタ収容部６０２とにより構成されている。ファン収容部６０１には、ランプ用冷却ファン５０１、５０２が上下２段に積まれた状態で収容される。フィルタ収容部６０２には、フィルタユニット７００が収容される。
【００６３】
ファン収容部６０１は、ほぼ方形状を有している。一方、フィルタ収容部６０２は、上面が開口するとともに底面を有する、ほぼ断面方形の筒状に形成されている。ただし、フ
ィルタ収容部６０２の下端部については、右側面および前面に対応する部分が斜めの面となっており、三角形に近い筒状とされている。
【００６４】
ファン収容部６０１の上部には、第１ダクト６１１が形成されている。第１ダクト６１１の導入口は、ランプ用冷却ファン５０１の吐出口に接続されている。第１ダクト６１１の導出口は、ランプホルダ４００の上部ダクト４０３に繋がる。また、ファン収容部６０１の中央部には、第２ダクト（図示せず）が形成されている。第２ダクトの導入口は、ランプ用冷却ファン５０２の吐出口に接続されている。第２ダクトの導出口は、ランプホルダ４００の下部ダクト４０４に繋がる。
【００６５】
図６は、フィルタユニット７００の構成示す図である。図６（ａ）は、フィルタ７２０が取り付けられた状態のフィルタユニット７００の斜視図である。図６（ｂ）は、フィルタ７２０が取り付けられる前のフィルタユニット７００の斜視図である。
【００６６】
図６を参照して、フィルタユニット７００は、フィルタホルダ７１０と、フィルタホルダ７１０に取り付けられるフィルタ７２０により構成さている。
【００６７】
フィルタホルダ７１０は、フィルタ７２０が収容される収容凹部７１１を備えている。収容凹部７１１の底面には通気口７１２が形成されている。通気口７１２には、格子７１３が形成されている。
【００６８】
フィルタホルダ７１０の上端部には、取っ手７１４が形成されている。取っ手７１４の後方には、ほぼ三角形状のカバー部７１５が形成されている。フィルタホルダ７１０の左端部には、上部に押圧片７１６が形成されている。
【００６９】
フィルタ７２０は、長方形状を有するウレタン製のフィルタである。フィルタ７２０は、収容凹部７１１に、たとえば、接着剤により固定される。なお、フィルタ７２０は、ウレタン製以外のフィルタ、たとえば、不織布からなるフィルタであっても良い。
【００７０】
図５に戻り、フィルタ収容部６０２には、フィルタユニット７００に対する吸気側の側面に、複数の開口からなる吸気口６２１が形成されている。また、前記フィルタ収容部６０２には、フィルタユニット７００が装着されたときに、フィルタユニット７００から突き出る押圧片７１６を避けるために、切欠部６２２が形成されている。
【００７１】
プロジェクタの運転時には、ランプ用冷却ファン５０１、５０２が駆動される。さらに、ＤＭＤ用冷却ファン２０、ランプ用排気ファン２１および電源用排気ファン２２が駆動される。これにより、吸気口８を通じて本体キャビネット１内に外気が取り込まれる。
【００７２】
本体キャビネット１内に取り込まれた外気は、冷却風として、吸気口６２１を通じてフィルタ収容部６０２に流入する。フィルタ収容部６０２に流入した冷却風は、フィルタ７２０を通過する。この際、冷却風に含まれる埃や塵は、フィルタ７２０を通過できず、フィルタ７２０に付着する。フィルタ７２０によって埃等が除去された冷却風は、ファン収容部６０１へ流入し、ランプ用冷却ファン５０１、５０２に取り込まれる。
【００７３】
なお、上述のように、フィルタユニット７００に対して排気側となるフィルタ収容部６０２の上部開口は、フィルタユニット７００の装着によってカバー部７１５に覆われる（図５（ａ）参照）。これにより、フィルタユニット７００を通る流路以外からファン収容部６０１に冷却風が取り込まれるのを防止でき、クリーンな冷却風をランプユニット１４へ供給できる。
【００７４】
ランプ用冷却ファン５０１、５０２から吹き出された冷却風は、それぞれ、第１ダクト６１１および第２ダクトを通じて、ランプホルダ４００の上部ダクト４０３および下部ダクト４０４に流入する。
【００７５】
図５（ｂ）には、ランプユニット１４における冷却風の流れが矢印で示されている。上部ダクト４０３に流入した冷却風は、ダクト内を流れて上部吹出口４０５に至り、上部吹出口４０５から光源ランプ３００のリフレクタ３０２の内側に吹き出される。また、下部ダクト４０４に流入した冷却風は、ダクト内を流れて下部吹出口４０６に至り、下部吹出口４０６からリフレクタ３０２の内側に吹き出される。これら上下両側からリフレクタ３０２に流入した冷却風により、リフレクタ３０２の内側が冷却される。その後、リフレクタ３０２内の冷却風は、排出口４０７からランプユニット１４の外部に排出される。
【００７６】
図７はおよび図８は、カバー装着部１０１へのランプ用カバー５の取付構造を示す図である。図７（ａ）は、フィルタ収容部６０２にフィルタユニット７００が収容される前の状態を示すプロジェクタの要部の斜視図である。図７（ｂ）は、フィルタ収容部６０２にフィルタユニット７００が収容され、ランプ用カバー５が途中まで閉じられた状態を示すプロジェクタの要部の斜視図である。図８（ａ）は、図７（ａ）のＢ−Ｂ´断面図であり、図８（ｂ）は、図７（ｂ）のＣ−Ｃ´断面図である。図８（ｃ）は、カバーストッパー１１０の斜視図である。
【００７７】
また、図９は、ランプ用カバー５の構成を示す図である。図９（ａ）は、表側から見たランプ用カバー５の斜視図である。図９（ｂ）は、裏側から見たランプ用カバー５の斜視図である。
【００７８】
図７および図８を参照して、上キャビネット３には、中央部から左側面に亘って、ランプ用カバー５が装着されるカバー装着部１０１が形成されている。カバー装着部１０１は、上キャビネット３の表面よりもわずかに凹んでいる。このため、ランプ用カバー５がカバー装着部１０１に装着されると、即ち、ランプ用カバー５が完全に閉じられると、ランプ用カバー５の表面と上キャビネット３の表面とが略面一になる。
【００７９】
カバー装着部１０１には、ランプ用開口１０２が形成されている。ランプ用開口１０２は、ランプユニット１４の真上に位置し、ランプユニット１４が出し入れ可能な大きさを有する。ランプユニット１４は、ランプ用開口１０２を通じて、本体キャビネット１内に収容される。また、ランプユニット１４は、ランプ用開口１０２を通じて、本体キャビネット１内から取り出される。
【００８０】
また、カバー装着部１０１には、フィルタ用開口１０３が形成されている。フィルタ用開口１０３は、フィルタ収容部６０２の真上に位置し、フィルタ収容部６０２の上面の開口と、ほぼ同じ大きさを有する。フィルタユニット７００は、フィルタ用開口１０３を通じて、フィルタ収容部６０２内に収容される。また、フィルタユニット７００は、フィルタ用開口１０３を通じて、フィルタ収容部６０２内から取り出される。
【００８１】
カバー装着部１０１には、後縁部と前縁部に、それぞれ、左右方向に延びるガイド溝１０４、１０５が形成されている。図８（ａ）に示すように、ガイド溝１０４は、後部に壁を有するが、底部と前部が開口している。また、ガイド溝１０５は、前部と底部に壁を有し、後部が開口している。また、カバー装着部１０１には、ガイド溝１０４、１０５には、それぞれ、ランプ用カバー５の軸部５０４、５０５を上方から通すための挿入開口１０４ａ、１０５ａが形成されている。
【００８２】
また、カバー装着部１０１には、ランプ用開口１０２の左側に、左右方向に長い窪み１
０６が形成されている。窪み１０６の後方には、ランプ用カバー５が完全に閉鎖したことを検出するための検出スイッチ１０７が設けられている。検出スイッチ１０７のアクチュエータ部が、窪み１０６の右端部に露出する。検出スイッチ１０７には、たとえば、マイクロスイッチが用いられる。
【００８３】
ランプ用カバー５が完全に閉鎖し、ランプ用カバー５の裏面に設けられた操作リブ５０８（図９参照）がアクチュエータ部に触れると、検出スイッチ１０７がオンする。これにより、ランプ用カバー５が完全に閉鎖したことが検出される。
【００８４】
カバー装着部１０１の左端部には、取付部１０８が設けられている。取付部１０８には、ナット１０９が横向きに埋め込まれている。
【００８５】
図８に示すように、上キャビネット３の裏面には、フィルタ用開口１０３の後方であって、ガイド溝１０４の下方にカバーストッパー１１０が設けられている。
【００８６】
カバーストッパー１１０は、突起部１１１と、支持部１１２とにより構成されている。突起部１１１は、上下方向に延び、その先端部がガイド溝１０４内に張り出す。支持部１１２は、前後方向に延びる梁状に形成され、突起部１１１を支持する。支持部１１２の基端部は、連結部１１３によって上キャビネット３の裏面に連結されている。支持部１１２は、上下方向の厚みが薄く、少なくとも突起部１１１の先端部がガイド溝１０４から退避する程度まで、その基端部を支点にして下方に撓むことができる。上キャビネット３は樹脂材料により形成されており、カバーストッパー１１０は、上キャビネット３と一体形成されている。
【００８７】
なお、カバーストッパー１１０は、上キャビネット３とは別に、樹脂材料や金属材料で形成され、上キャビネット３にネジなどにより固定されるようにしても良い。
【００８８】
図９に示すように、ランプ用カバー５は、上面板５０１と側面板５０２とで構成されている。上面板５０１の形状は、上キャビネット３の形状に合わされており、後部が傾斜している。
【００８９】
上面板５０１の裏面において、後端部および前端部には、それぞれ、左右方向に延びるガイドリブ５０２、５０３が形成されている。ガイドリブ５０２の右端部よりやや左側には、前方に突き出る軸部５０４が形成されており、ガイドリブ５０２の右端部には、右方に突き出る係止部５０６が形成されている。同様に、ガイドリブ５０３の右端部よりやや左側には、後方に突き出る軸部５０５が形成されており、ガイドリブ５０３の右端部には、右方に突き出る係止部５０７が形成されている。係止部５０６、５０７は、ランプ用カバー５が完全に閉じたときに、カバー装着部１０１に形成された係止孔１０４ｂ、１０５ｂに係止される。
【００９０】
上面板５０１の裏面には、さらに、カバー装着部１０１の窪み１０６に収容される操作リブ５０８が形成されている。上述したように、ランプ用カバー５が完全に閉じられたとき、操作リブ５０８によって検出スイッチ１０７がオンする。
【００９１】
側面板５０２には、取付孔５０９が形成されている。ランプ用カバー５が完全に閉じられると、取付孔５０９がナット１０９のネジ孔に整合する。こうして、ナット１０９にネジ止めされることにより、ランプ用カバー５が上キャビネット３に固定される。
【００９２】
こうして、ランプ用カバー５を、カバー装着部１０１に装着する際には、ガイドリブ５０２、５０３、軸部５０４、５０５および係止部５０６、５０７が上方からガイド溝１０
４、１０５内に挿入される。このとき、図８（ｂ）に示すように、軸部５０４の先端部は、挿入開口１０４ａを通じてガイド溝１０４の前部の開口１０４ｃ内に挿入される。同様に、軸部５０５の先端部は、挿入開口１０５ａを通じてガイド溝１０５の後部の開口１０５ｃ内に挿入される。
【００９３】
その後、ランプ用カバー５が右側にスライドされる。ガイドリブ５０２、５０３、軸部５０４、５０５および係止部５０６、５０７は、ガイド溝１０４、１０５に案内されて右側に移動する。このとき、軸部５０４、５０５が開口１０４ｃ、１０５ｃと係合することにより、ランプ用カバー５の上方への動きが規制される。
【００９４】
図１０（ａ）、（ｂ）は、フィルタユニット７００がフィルタ収容部６０２に収容されずにランプ用カバー５が閉じられたときの様子を示す図である。また、図１０（ｃ）、（ｄ）は、フィルタユニット７００がフィルタ収容部６０２に収容された後にランプ用カバー５が閉じられたときの様子を示す図である。図１０（ａ）、（ｃ）はフィルタ用開口１０３の周辺を示す断面図であり、図１０（ｂ）、（ｄ）は、カバー装着部１０１の周辺を示す要部の斜視図である。なお、図１０（ａ）では、便宜上、実際には断面の位置よりも紙面の手前にあるランプ用カバー５が破線にて示されている。
【００９５】
フィルタユニット７００がフィルタ収容部６０２に装着されていないときには、カバーストッパー１１０の突起部１１１がガイド溝１０４内に張り出す。即ち、突起部１１１が、ガイド溝１０４を案内されるガイドリブ５０２、軸部５０４、および係止部５０６と当接するライン上に位置する。
【００９６】
よって、ユーザが、フィルタユニット７００をフィルタ収容部６０２内に装着せずに、ランプ用カバー５を閉じた場合には、図１０（ａ）に示すように、ランプ用カバー５が閉じられている途中で係止部５０６が突起部１１１に当接する。これによって、図１０（ｂ）に示すように、ランプ用カバー５は最後まで閉じられなくなるので、検出スイッチ１０７によりランプ用カバー５の閉鎖が検出されない。よって、この状態で、ユーザにより運転操作がなされても、プロジェクタの運転が開始されない。
【００９７】
一方、フィルタユニット７００がフィルタ収容部６０２内に装着されると、図１０（ｃ）に示すように、押圧片７１６が、切欠部６２２に位置する支持部１１２の先端部を下方に押す。これにより、支持部１１２が下方に撓んで、突起部１１１がガイド溝１０４内から抜け出る。即ち、突起部１１１が、ガイド溝１０４を案内されるガイドリブ５０２、軸部５０４、および係止部５０６と当接するライン上から退避する。
【００９８】
よって、ユーザが、フィルタユニット７００をフィルタ収容部６０２内に装着した後にランプ用カバー５を閉じた場合には、係止部５０６が突起部１１１に当接しない。このため、図１０（ｄ）に示すように、ランプ用カバー５は最後まで閉じられ、検出スイッチ１０７によりランプ用カバー５の閉鎖が検出される。よって、この状態で、ユーザにより運転操作がなされると、プロジェクタの運転が開始される。
【００９９】
以上のように、本実施の形態では、フィルタユニット７００がフィルタ収容部６０２内に収容された状態でランプ用カバー５が閉じられたことが検出できる。よって、フィルタユニット７００が装着されないまま運転が開始され、ランプユニット１４が埃等にさらされてしまうのを防止できる。また、ランプ用カバー５が閉じられないままであり、ランプ用開口１０２やフィルタ用開口１０３を通じてユーザが本体キャビネット１内に手などを入れられる状態で、運転が開始されるのを防止できる。
【０１００】
しかも、本実施の形態では、フィルタユニット７００がフィルタ収容部６０２に収容さ
れた状態でランプ用カバー５が閉じられることによって、検出スイッチ１０７によりランプ用カバー５の閉鎖が検出される。よって、フィルタユニット７００の装着とランプ用カバー５の閉鎖とを１つの検出スイッチ１０７にて検出することができる。
【０１０１】
さらに、本実施の形態では、カバーストッパー１１０が、梁状に形成した支持部１１２の撓みを用いて突起部１１１をガイド溝１０４内から出し入れする構成とされている。また、支持部１１２の先端部が、フィルタ収容部６０２の近傍に位置するよう構成され、フィルタユニット７００に設けた押圧片７１６により支持部１１２を押すことで、支持部１１２を撓ませる構成とされている。さらには、ランプ用カバー５側に設けられる当接部として、ガイド溝１０４に案内される係止部５０７が利用されている。よって、フィルタユニット７００の装着とランプ用カバー５の閉鎖とを１つの検出スイッチ１０７にて検出するための構成を、簡易な構成にて実現することができる。
【０１０２】
＜変更例＞
以下、図１１から図１４を参照して、変更例に係るプロジェクタについて説明する。なお、上記実施の形態と同じ構成については、これらの図において同じ符号を付し、説明を省略する。
【０１０３】
図１１は、変更例に係るフィルタユニット７００の構成示す図である。図１１（ａ）は、フィルタ７２０が取り付けられた状態のフィルタユニット７００の斜視図である。図１１（ｂ）は、フィルタ７２０が取り付けられる前のフィルタユニット７００の斜視図である。
【０１０４】
本変更例のフィルタユニット７００には、押圧片７１６に替えて、上面の右端部に案内片７１７が設けられている。案内片７１７の先端には、案内面７１７ａが形成されている。図１１（ａ）に示すように、案内面７１７ａは、ランプ用カバー５のスライド方向に対して傾斜している。なお、本変更例では、フィルタユニット７００に押圧片７１６が形成されていないため、フィルタ収容部６０２には切欠部６２２が形成されていない。
【０１０５】
図１２は、変更例に係るカバー装着部１０１へのランプ用カバー５の取付構造を示す図である。図１２（ａ）は、フィルタ収容部６０２にフィルタユニット７００が収容される前の状態を示すプロジェクタの要部の斜視図である。図１２（ｂ）は、フィルタ収容部６０２にフィルタユニット７００が収容され、ランプ用カバー５が途中まで閉じられた状態を示すプロジェクタの要部の斜視図である。また、図１３は、ランプ用カバー５の構成を示す図である。図１３（ａ）は、裏側から見たランプ用カバー５の斜視図である。図１３（ｂ）は、図１３（ａ）のＤ−Ｄ´断面図である。
【０１０６】
図１２（ａ）に示すように、本変更例の上キャビネット３には、カバーストッパー１１０に替えて、フィルタ用開口１０３の後縁部に突起部１２０が形成されている。図１２（ｂ）に示すように、フィルタユニット７００がフィルタ収容部６０２に収容されると、案内片７１７の案内面７１７ａが突起部１２０の左方、即ち、ランプ用カバー５が閉じる方向における突起部１２０の前方に配される。
【０１０７】
図１３に示すように、本変更例のランプ用カバー５には、裏面に当接バー５２０が形成されている。当接バー５２０は、梁状に形成されており、基端部が連結部５２１によって上面板５０１に連結されている。当接バー５２０は、先端部が突起部１２０に当接する当接部５２０ａとなり、中間部から基端部までの部位が当接部５２０ａを支持する支持部５２０ｂとなる。当接バー５２０は、前後方向に薄く、支持部５２０ｂが後方（ガイドリブ５０２に向かう方向）に撓むことができる。ランプ用カバー５は樹脂材料により形成されており、当接バー５２０は、ランプ用カバー５と一体形成されている。当接バー５２０は
、ランプ用カバー５が閉じられたときに、当接部５２０ａが突起部１２０に当接する位置に設けられている。
【０１０８】
なお、当接バー５２０は、ランプ用カバー５とは別に、樹脂材料や金属材料で形成され、ランプ用カバー５にネジなどにより固定されるようにしても良い。また、当接バー５２０の当接部５２０ａは、支持部５２０ｂと同じ形に形成されているが、支持部５２０ｂよりも大きなサイズに形成されても良い。
【０１０９】
図１４（ａ）、（ｂ）は、変更例に係る、フィルタユニット７００がフィルタ収容部６０２に収容されずにランプ用カバー５が閉じられたときの様子を示す図である。また、図１４（ｃ）、（ｄ）は、変更例に係る、フィルタユニット７００がフィルタ収容部６０２に収容された後にランプ用カバー５が閉じられたときの様子を示す図である。図１４（ａ）は、フィルタユニット７００がフィルタ収容部６０２に収容されずにランプ用カバー５が閉じられたときの当接バー５２０の状態を模式的に示す要部の平面図である。図１４（ｃ）は、フィルタユニット７００がフィルタ収容部６０２に収容された後にランプ用カバー５が閉じられたときの当接バー５２０の状態を模式的に示す要部の平面図である。図１４（ｂ）、（ｄ）は、カバー装着部１０１の周辺を示す要部の斜視図である。
【０１１０】
ユーザが、フィルタユニット７００をフィルタ収容部６０２内に装着せずに、ランプ用カバー５を閉じた場合、図１４（ａ）に示すように、当接バー５２０の当接部５２０ａが突起部１２０に当接する。これによって、図１４（ｂ）に示すように、ランプ用カバー５は最後まで閉じられなくなるので、検出スイッチ１０７によりランプ用カバー５の閉鎖が検出されない。よって、この状態で、ユーザにより運転操作がなされても、プロジェクタの運転が開始されない。
【０１１１】
一方、ユーザが、フィルタユニット７００をフィルタ収容部６０２内に装着すると、案内片７１７の案内面７１７ａが突起部１２０の前方に配される。この状態で、ランプ用カバー５が閉じられると、図１４（ｃ）に示すように、当接バー５２０の当接部５２０ａが、突起部１２０に当接する前に案内面７１７ａに当接する。支持部５２０ｂがフィルタ用開口１０３と反対方向に撓み、当接部５２０ａが案内面７１７ａに沿って突起部１２０に当接するライン上から外れて、突起部１２０の横を通過する。これにより、図１４（ｄ）に示すように、ランプ用カバー５は最後まで閉じられ、検出スイッチ１０７によりランプ用カバー５の閉鎖が検出される。よって、この状態で、ユーザにより運転操作がなされると、プロジェクタの運転が開始される。
【０１１２】
以上のように、本変更例においても、上記実施の形態と同様、フィルタユニット７００がフィルタ収容部６０２内に装着されないまま、また、ランプ用カバー５が完全に閉じられないまま、プロジェクタの運転が開始されるのを防止できる。さらに、フィルタユニット７００の装着とランプ用カバー５の閉鎖とを１つの検出スイッチ１０７にて検出することができる。
【０１１３】
さらに、本変更例では、突起部１２０がフィルタ用開口１０３の近傍に設けられ、フィルタユニット７００がフィルタ収容部６０２に収容されると、フィルタユニット７００から突起部１２０側に伸びる案内片７１７の案内面７１７ａが、突起部１２０の前方に配される構成とされている。また、当接バー５２０が、梁状に形成した支持部５２０ｂの撓みを用いて、当接部５２０ａを変位させる構成とされている。よって、フィルタユニット７００の装着とランプ用カバー５の閉鎖とを１つの検出スイッチ１０７にて検出するための構成を、簡易な構成にて実現することができる。
【０１１４】
＜その他＞
本発明は、上記実施の形態や変更例に限定されるものではなく、特許請求の範囲に示された技術的思想の範囲内において、適宜、種々の変更が可能である。
【０１１５】
たとえば、上記実施の形態および上記変更例では、本発明の被装着物がフィルタユニット７００である場合について例示されている。しかしながら、本発明の被装着物は、フィルタユニット７００に限られず、たとえば、ランプユニット１４であっても良い。この場合、たとえば、ランプ用開口１０２に近いガイド溝１０５内に突起部１１１が張り出すように、上キャビネット３の裏面にカバーストッパー１１０が設けられる。また、ランプユニット１４に押圧片が設けられる。そして、ランプユニット１４が本体キャビネット１内に装着されると、押圧片により支持部１１２が押され、突起部１１１がガイド溝１０５から退避する。こうして、ランプユニット１４が本体キャビネット１内に装着されると、ランプ用カバー５が完全に閉じられるようになる。
【０１１６】
また、光変調ユニット１５がプリズムユニットを含む構成とされた場合、プリズムユニットを交換するために、上キャビネット３の上面にプリズム用開口が形成され、このプリズム用開口がプリズム用カバーにより閉鎖される構成とすることもできる。この場合、プリズムユニットが本体キャビネット１内に装着された後にプリズム用カバーが閉鎖されたことを検出するために、本発明が適用されても良い。この場合、プリズムユニットが本発明の被装着物となる。
【０１１７】
さらに、上記実施の形態では、カバーストッパー１１０の支持部１１２が梁状に形成され、自身が撓むことにより変位できる構成とされている。しかしながら、支持部１１２は、自身では撓まず、別途、バネなどにより付勢され、変位するような構成とされても良い。上記変更例の当接バー５２０においても同様に、支持部５２０ｂは、自身では撓まず、別途、バネなどにより付勢され、変位するような構成とされても良い。
【０１１８】
さらに、上記実施の形態では、フィルタ用開口１０３およびランプ用開口１０２が本体キャビネット１の上面に形成されている、しかしながら、これに限らず、フィルタ用開口１０３およびランプ用開口１０２が、本体キャビネット１の左右の側面、後面、または底面に形成されても良い。
【０１１９】
この他、本発明の実施の形態は、特許請求の範囲に示された技術的思想の範囲内において、適宜、種々の変更が可能である。
【符号の説明】
【０１２０】
１  本体キャビネット
１０３  フィルタ用開口（開口）
１０４  ガイド溝（溝部）
１０７  検出スイッチ（検出器）
１１０  カバーストッパー
１１１  突起部（第１の当接部）
１１２  支持部
１２０  突起部（第２の当接部）
５  ランプ用カバー（カバー）
５０６  係止部（第２の当接部、ガイド部）
５２０  当接バー
５２０ａ  当接部（第１の当接部）
５２０ｂ  支持部
７００  フィルタユニット（被装着物）
７１６  押圧片（押圧部、退避部）
７１７  案内片
７１７ａ  案内面（退避部）
【図１】
2012093440.tif 000003
【図２】
2012093440.tif 000004
【図３】
2012093440.tif 000005
【図４】
2012093440.tif 000006
【図５】
2012093440.tif 000007
【図６】
2012093440.tif 000008
【図７】
2012093440.tif 000009
【図８】
2012093440.tif 000010
【図９】
2012093440.tif 000011
【図１０】
2012093440.tif 000012
【図１１】
2012093440.tif 000013
【図１２】
2012093440.tif 000014
【図１３】
2012093440.tif 000015
【図１４】
2012093440.tif 000016